【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
少なくとも結着樹脂と着色剤を含有してなるトナーの製造方法であって、
重合性単量体として少なくともスチレン単量体と（メタ）アクリル単量体を水系媒体中に分散させ、前記分散させた重合性単量体を前記水系媒体中で下記一般式（１）で表される重合体の存在下で重合することにより、少なくとも一般式（１）の重合体、スチレン単量体、（メタ）アクリル単量体を反応させて形成した樹脂を含有する樹脂粒子を形成する工程と、
前記樹脂粒子を、予め分散処理させて形成した着色剤粒子と混合させた後、前記樹脂粒子と前記着色剤粒子とを凝集、融着させる工程と、を少なくとも経てトナーを作製するものであることを特徴とするトナーの製造方法。
【化Ａ】
2010112983.tif 000001
〔式中、Ｘはアクリロイル基及びメタアクリロイル基の少なくともいずれかを表し、Ｙはラジカル重合性単量体ユニットを表す。ｎは２５以上１０００以下の整数を表す。〕
【請求項２】
前記一般式（１）で表される重合体の数平均分子量Ｍｎが５，０００以上５０，０００以下であり、かつ、前記一般式（１）で表される重合体の重量平均分子量Ｍｗと数平均分子量Ｍｎの比Ｍｗ／Ｍｎが１．０以上１．２以下であることを特徴とする請求項１に記載のトナーの製造方法。
【請求項３】
前記一般式（１）で表される重合体が、リビングラジカル重合で合成された重合体であることを特徴とする請求項１または２に記載のトナーの製造方法。
【請求項４】
少なくとも樹脂粒子と着色剤粒子を凝集、融着させてなるトナーであって、
前記樹脂粒子は、
少なくとも下記一般式（１）で表される重合体、スチレン単量体、（メタ）アクリル単量体を反応させて形成した樹脂を含有するものであることを特徴とするトナー。
【化Ｂ】
2010112983.tif 000002
〔式中、Ｘはアクリロイル基及びメタアクリロイル基の少なくともいずれかを表し、Ｙはラジカル重合性単量体ユニットを表す。ｎは２５以上１０００以下の整数を表す。〕
【請求項５】
前記一般式（１）で表される重合体の数平均分子量Ｍｎが５，０００以上５０，０００以下であり、かつ、前記一般式（１）で表される重合体の重量平均分子量Ｍｗと数平均分子量Ｍｎの比Ｍｗ／Ｍｎが１．０以上１．２以下であることを特徴とする請求項４に記載のトナー。
【請求項６】
前記一般式（１）で表される重合体が、リビングラジカル重合で合成された重合体であることを特徴とする請求項４または５に記載のトナー。
【請求項７】
前記樹脂粒子が、前記一般式（１）で表される重合体を用いて形成した樹脂を０．５質量％以上２０質量％以下含有するものであることを特徴とする請求項４〜６のいずれか１項に記載のトナー。
【請求項８】
請求項４〜７のいずれか１項に記載のトナーを含有することを特徴とする現像剤。
【手続補正２】
【補正対象書類名】明細書
【補正対象項目名】発明の名称
【補正方法】変更
【補正の内容】
【発明の名称】トナーの製造方法、トナー、現像剤
【手続補正３】
【補正対象書類名】明細書
【補正対象項目名】００１１
【補正方法】変更
【補正の内容】
【００１１】
【化Ａ】
2010112983.tif 000003
〔式中、Ｘはアクリロイル基及びメタアクリロイル基の少なくともいずれかを表し、Ｙはラジカル重合性単量体ユニットを表す。ｎは２５以上１０００以下の整数を表す。〕』というものである。
【手続補正４】
【補正対象書類名】明細書
【補正対象項目名】００１４
【補正方法】変更
【補正の内容】
【００１４】
請求項４に記載の発明は、
『少なくとも樹脂粒子と着色剤粒子を凝集、融着させてなるトナーであって、
前記樹脂粒子は、
少なくとも下記一般式（１）で表される重合体、スチレン単量体、（メタ）アクリル単量体を反応させて形成した樹脂を含有するものであることを特徴とするトナー。
【化Ｂ】
2010112983.tif 000004
〔式中、Ｘはアクリロイル基及びメタアクリロイル基の少なくともいずれかを表し、Ｙはラジカル重合性単量体ユニットを表す。ｎは２５以上１０００以下の整数を表す。〕』というものである。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
本発明により、低温定着性と耐オフセット性の向上を両立することが可能なトナーを提供することが可能になった。すなわち、分子鎖末端にアクリロイル基またはメタアクリロイル基を有するテレケリックポリマーと呼ばれる重合体を用いて形成した樹脂を用いることにより上記課題が解消されることを見出した。具体的には、コールドオフセットやホットオフセットと呼ばれる定着温度に起因する画像汚染の発生をなくして良好な定着が行え、しかも、従来よりも低い定着温度でトナー画像を転写紙上に定着することができる様になった。さらに、コアシェル構造のトナーを形成すると、コア粒子表面にムラなく均一にシェルを形成することができる様になったためと考えられるが、優れた耐熱保管性を有するトナーを提供することも可能になった。
【手続補正９】
【補正対象書類名】明細書
【補正対象項目名】００２４
【補正方法】変更
【補正の内容】
【００２４】
本発明では、一般式（１）で表される重合体を用いて形成される結着樹脂を含有してなるトナーにより低温定着性と耐オフセット性向上の両立が可能になった。
【手続補正１０】
【補正対象書類名】明細書
【補正対象項目名】００４４
【補正方法】変更
【補正の内容】
【００４４】
本発明に係るトナーを構成する結着樹脂は、数平均分子量Ｍｎが５，０００以上５０，０００以下、重量平均分子量Ｍｗと数平均分子量Ｍｎの比Ｍｗ／Ｍｎが１．０以上１．２以下となるものが好ましいものである。本発明では、トナーを構成する結着樹脂が数平均分子量Ｍｎと重量平均分子量Ｍｗについて上記関係を満たすときに、低温定着性と耐オフセット性向上の両立という本発明の課題をより確実に実現することを見出した。すなわち、結着樹脂が上記関係を有することにより、定着時に溶融粘度が低く抑えられて高い流動性を発現することができる様になったためとみられる。この様な作用が得られる様になった理由は、前述した様に、分子量分布が単分散のものになることで、結着樹脂中で分子鎖の絡み合いが起こりにくくなり分子鎖の切断等が発生しにくくなり、その結果、結着樹脂内にラジカルが発生せず安定化したためと考えられる。特に、混練・粉砕工程を経て作製される粉砕トナーは、製造工程で分子鎖にストレスが加わる機会が多いので、本発明により、製造工程中でストレスを加えられても結着樹脂を構成する分子鎖が切断せず樹脂の安定状態が維持されるものと考えられる。
【手続補正１１】
【補正対象書類名】明細書
【補正対象項目名】００７８
【補正方法】変更
【補正の内容】
【００７８】
以上の工程を経て、前述した一般式（１）で表される重合体を用いて形成された樹脂を含有するトナーを作製することができる。なお、本発明に係るトナーを上記乳化会合法で作製する場合に使用可能な重合開始剤、分散安定剤、界面活性剤については後述する。
【手続補正１２】
【補正対象書類名】明細書
【補正対象項目名】０１１９
【補正方法】変更
【補正の内容】
【０１１９】
次に、本発明に係るトナーを用いることが可能な画像形成方法について説明する。本発明に係る画像形成方法は、「一般式（１）で表される重合体を用いて形成された樹脂を含有するトナー」を用いるもので、少なくとも下記工程を経ることにより転写紙上にトナー画像を形成してプリント作製を行うものである。
（１）電子写真感光体表面に潜像を形成する潜像形成工程
（２）電子写真感光体表面に形成された静電潜像を現像剤担持体に担持させた現像剤で現像してトナー画像を形成する現像工程
（３）トナー画像を転写体表面に転写する転写工程
（４）転写体表面に転写させたトナー画像を熱定着する定着工程。